(57)【特許請求の範囲】
【請求項１】
表示紙Ｐ1 をその端部を保持しつつ下向きに１８０°揺動回転して表示紙集積部２より引き出し反転させ且つ結束用当紙Ｐ2 上方に水平搬送可能な表示紙給紙部１０と、反転途中に表示紙Ｐ1 に対して接合材を供給する接合材供給部２０と、水平搬送された前記表示紙Ｐ1 を保持しつつ当紙集積部３の当紙Ｐ2 上面に接合させる表示紙保持押圧部３０と、当紙集積部３の下側に外方に水平突出移動・復帰可能に設けられ、その突出方向先端部に当紙保持部を備える保持プレート４０と、当紙Ｐ2 の端部を保持プレート４０の当紙保持部に受け渡す当紙給紙部５０と、当紙Ｐ2 の端部を保持しつつ水平突出移動する保持プレート４０上に引き出された該当紙Ｐ2 を保持し且つ被結束物上に該当紙Ｐ2 を被覆供給する当紙保持押圧部６０とを設けたことを特徴とする結束用当紙挿入装置。
【請求項２】
表示紙Ｐ1 をその端部を保持しつつ下向きに１８０°揺動回転して表示紙集積部２より引き出し反転させ且つ結束用当紙Ｐ2 上方に水平搬送可能な表示紙給紙部１０と、該給紙部１０の揺動回転途中に表示紙Ｐ1 に対して接合材を供給する接合材供給部２０と、当紙Ｐ2 上方に水平搬送された前記表示紙Ｐ1 をその上面にて保持しつつ当紙集積部３の当紙Ｐ2 上面に下降押圧する表示紙保持押圧部３０と、当紙集積部３の下側に外方に水平突出移動・復帰可能に設けられ、その突出方向先端部に当紙保持部を備える保持プレート４０と、当紙Ｐ2 の端部を保持しつつ当紙集積部３より引き出し且つ保持プレート４０の当紙保持部に受け渡す当紙給紙部５０と、受け渡された当紙Ｐ2 の端部を保持しつつ水平突出移動する保持プレート４０上に引き出された該当紙Ｐ2 を保持し且つ保持プレート４０の復帰後に下降して被結束物上に該当紙Ｐ2 を被覆供給する当紙保持押圧部６０とを設けたことを特徴とする結束用当紙挿入装置。
【請求項３】
前記表示紙Ｐ1 が、被結束物の発注者名、発送先宛名、被結束物の数量（部数）、物品ロットナンバー等を表現する文字、数字、記号を表示した札紙類若しくは伝票類、又はその札紙類若しくは伝票類が添付されたシート類であることを特徴とする請求項１又は２記載の結束用当紙挿入装置。
【発明の詳細な説明】
【０００１】
【発明の属する技術分野】
本発明は、折丁やカタログなど各種印刷物、通帳、雑誌など各種製本類あるいはその他物品を集積して紐掛け結束する際に、札紙類又は伝票類又はこれらが添付された結束用当紙などシート類を挿入しながら結束するためのスタッカーバンドラーに付加する結束用当紙挿入装置に関する。
【０００２】
【従来の技術】
一般にスタッカーバンドラーによる各種印刷物や製本類などの物品の紐掛け結束においては、スタッカーにより所定量集積した被結束物品がバンドラーに移送される途中で、その被結束物品の上面及び下面に紐掛けによる物品の損傷を防ぐための保護紙としての結束用当紙が供給された後に、バンドラーにて、一の字掛け、二の字掛け、十の字掛け、キの字掛けなどの掛け方によって紐掛けされて結束される。
【０００３】
上記のようにして結束される被結束物品によっては、その物品の発注者名や発送先の宛名、あるいは数量（部数）、ロットナンバーなどを表示するための札紙（又は伝票類）など表示紙を添付する必要がある。
【０００４】
本発明は、集積・結束作業において使用するスタッカーバンドラーに付加するための結束用当紙挿入装置であって、被結束物品の上面に結束用当紙を供給する際に同時に表示紙を添付供給できるようにすることにある。
【０００５】
【課題を解決するための手段】
本発明の請求項１に係る発明は、表示紙Ｐ1 をその端部を保持しつつ下向きに１８０°揺動回転して表示紙集積部２より引き出し反転させ且つ結束用当紙Ｐ2 上方に水平搬送可能な表示紙給紙部１０と、反転途中に表示紙Ｐ1 に対して接合材を供給する接合材供給部２０と、水平搬送された前記表示紙Ｐ1 を保持しつつ当紙集積部３の当紙Ｐ2 上面に接合させる表示紙保持押圧部３０と、当紙集積部３の下側に外方に水平突出移動・復帰可能に設けられ、その突出方向先端部に当紙保持部を備える保持プレート４０と、当紙Ｐ2 の端部を保持プレート４０の当紙保持部に受け渡す当紙給紙部５０と、当紙Ｐ2 の端部を保持しつつ水平突出移動する保持プレート４０上に引き出された該当紙Ｐ2 を保持し且つ被結束物上に該当紙Ｐ2 を被覆供給する当紙保持押圧部６０とを設けたことを特徴とする結束用当紙挿入装置である。
【０００６】
本発明の請求項２に係る発明は、表示紙Ｐ1 をその端部を保持しつつ下向きに１８０°揺動回転して表示紙集積部２より引き出し反転させ且つ結束用当紙Ｐ2 上方に水平搬送可能な表示紙給紙部１０と、該給紙部１０の揺動回転途中に表示紙Ｐ1 に対して接合材を供給する接合材供給部２０と、当紙Ｐ2 上方に水平搬送された前記表示紙Ｐ1 をその上面にて保持しつつ当紙集積部３の当紙Ｐ2 上面に下降押圧する表示紙保持押圧部３０と、当紙集積部３の下側に外方に水平突出移動・復帰可能に設けられ、その突出方向先端部に当紙保持部を備える保持プレート４０と、当紙Ｐ2 の端部を保持しつつ当紙集積部３より引き出し且つ保持プレート４０の当紙保持部に受け渡す当紙給紙部５０と、受け渡された当紙Ｐ2 の端部を保持しつつ水平突出移動する保持プレート４０上に引き出された該当紙Ｐ2 を保持し且つ保持プレート４０の復帰後に下降して被結束物上に該当紙Ｐ2 を被覆供給する当紙保持押圧部６０とを設けたことを特徴とする結束用当紙挿入装置である。
【０００７】
本発明の請求項３に係る発明は、上記請求項１又は２に係る結束用当紙挿入装置において、前記表示紙Ｐ1 が、被結束物の発注者名、発送先宛名、被結束物の数量（部数）、物品ロットナンバー等を表現する文字、数字、記号を表示した札紙類若しくは伝票類、又はその札紙類若しくは伝票類が添付されたシート類であることを特徴とする結束用当紙挿入装置である。
【０００８】
【発明の実施の形態】
本発明の結束用当紙挿入装置の実施の形態を以下に詳細に説明すれば、図１は本発明装置の概要側面図、図２（イ）はその概要正面図、図２（ロ）は上面図である。
【０００９】
本発明装置は、図１及び図２（イ）に示すように、支持フレーム１の上部に表示紙Ｐ1 を集積する表示紙集積部２（底面板）を備え、その下部には結束用当紙Ｐ2 を集積する当紙集積部３を備えている。
【００１０】
前記集積部２、３の間には、集積部２に集積された表示紙Ｐ1 を、その表示紙Ｐ1 の下面端部を上向きにて保持する表示紙給紙部１０を備え、該表示紙給紙部１０は、表示紙Ｐ1 の下面端部を上向きにて保持した後に下向きに１８０°揺動回転するとともに、その表示紙Ｐ1 を集積部２の最下層より引き出して反転させる。なお表示紙集積部２には、表示紙給紙部１０によって表示紙Ｐ1 を引き出すための窓孔２ａ（切欠部）が、表示紙Ｐ1 の下面端部に相当する個所に設けられていて、また前記集積部２の窓孔２ａ側端部には、引き出される表示紙Ｐ1 をガイドするガイドロール１６が必要に応じて設けられている。
【００１１】
そして、その表示紙給紙部１０は、表示紙Ｐ1 を前記当紙集積部３に集積されている結束用当紙Ｐ2 上方（真上側）まで水平方向に搬送する。
【００１２】
前記表示紙給紙部１０の揺動回転途中には、その表示紙Ｐ1 の紙面に対して外側から、接着剤、糊剤、接着テープ、紙ホッチキスなどの接合材を供給する塗布装置など接合材供給部２０が設けられている。接合材供給部２０は、例えばエアシリンダ２１の作動ロッド先端部に接着剤、糊剤を供給する接合材供給ヘッド２２（塗布ロール、スタンプなど）を設けたものである。
【００１３】
前記表示紙給紙部１０は、図１の図面左右方向にスライド移動可能な両側支持アーム１１、１１のそれぞれ下端部に軸支された回転軸１２、１２と、その各々回転軸１２、１２に取り付けられた各々エアシリンダ１３、１３と、該各々エアシリンダ１３、１３の作動ロッド先端部にそれぞれ取り付けられたバキューム吸着部１４、１４（吸盤部又は咥部）とにより構成されている。なお回転軸１２、１２は、支持フレーム１の両側面に形成された水平方向の切欠部４、４内に外側から内側に嵌装されている。なお前記表示紙給紙部１０の回転軸１２、１２にはそれぞれ表示紙Ｐ1 をガイドするガイドロール１７が必要に応じて設けられている。
【００１４】
支持アーム１１は、支持フレーム１の外側面に設けた水平なリニアガイドレール１ａに沿ってスライド可能に係合した係合部１１ａを備え、リニアガイドレール１ａに沿って図１の図面左右方向に水平にスライド移動可能になっている。
【００１５】
図示するように支持アーム１１には、移動方向端部に設けた一対のスプロケット（プーリー）１７ａ、１７ｂに巻回した牽引用のエンドレス状のタイミングベルト１６の両端部が接続固定され、該タイミングベルト１６を一方のスプロケット（例えば１７ａ）を駆動回転させる電動モーター１８（パルスモーター、サーボモーター）にて回転送行させることにより支持アーム１１を駆動させる。支持アーム１１を水平移動させる駆動系としては、この他にロッドレスエアシリンダなどであってもよい。
【００１６】
支持アーム１１に軸支された回転軸１２は、１８０°の角度で繰り返し揺動回転可能な空圧式の回転揺動駆動部（ラックアンドピニオン方式）など揺動回転適宜手段１５により回転できるようになっていて、取り付けたエアシリンダ１３の作動ロッド方向を垂直上向き乃至垂直下向きに方向変換させる。
【００１７】
表示紙給紙部１０によって前記当紙集積部３の結束用当紙Ｐ2 上方まで水平方向に搬送された表示紙Ｐ1 の上方には、この表示紙Ｐ1 をその上面にて保持しつつ、結束用当紙Ｐ2 の上面に下降押圧する表示紙保持押圧部３０が設けられている。
【００１８】
表示紙保持押圧部３０は、表示紙集積部２の下部に下向きに取り付けたエアシリンダ３１と、その下向き作動ロッドの先端部に取り付けたブラケット３３と、該ブラケット３３の下側に設けられたバキューム吸着部３４（吸盤部）により構成される。
【００１９】
当紙集積部３の下側には、支持フレーム１下部より外方に水平突出・復帰移動可能な保持プレート４０が設けられ、該保持プレート４０は、プレート４１と、その突出方向先端部に設けたバキューム吸着部（吸着盤）あるいは支軸を介して開閉反転動作する咥部４３（ロータリエアシリンダにより反転回転する支軸に取り付けたグリッパ又は移動する保持プレート４０の側部に設けたカム・カムフォロアにより反転回転する支軸に取り付けたバネにて付勢されたグリッパ）など当紙Ｐ2 の前端部を保持するための保持部４２、プレート４１先端側の下部にブラケット４５を介して取り付けた水平移動させる駆動用のエアシリンダ４４（水平作動ロッド４４ａ）とにより構成される。プレート４１は、必要に応じてその幅方向両側（図１の図面表裏方向）を適宜ガイドレールによって規制されていてもよい。
【００２０】
当紙集積部３に集積された結束用当紙Ｐ2 の前端部側には、結束用当紙Ｐ2 を保持しつつ当紙集積部３より引き出し、そして前記保持プレート４０の突出方向先端保持部４２に受け渡すための当紙給紙部５０が設けられている。
【００２１】
当紙給紙部５０は、垂直下向きのエアシリンダ５１と、その下向き作動ロッド５１ａ先端部に取り付けた水平方向のエアシリンダ５２と、該エアエアシリンダ５２の水平方向先端部に取り付けた垂直下向きのエアシリンダ５３と、該エアシリンダ５３の下向き先端部に取り付けたバキューム吸着部５４（吸盤部）とにより構成される。
【００２２】
前記保持プレート４０の先端保持部４２にて前端部を保持された結束用当紙Ｐ2 は、該保持プレート４０の水平突出移動により当紙集積部３から引き出されながら保持プレート４０上に載置される。
【００２３】
水平突出移動した保持プレート４０の上方には、保持プレート４０上の結束用当紙Ｐ2 をその上面にて保持しつつ、保持プレート４０の復帰後に被結束物７０上に下降押圧する当紙保持押圧部６０が設けられている。
【００２４】
当紙保持押圧部６０は、昇降動作する支持アーム６１と、該支持アーム６１の下端部に取り付けたブラケット６２と、該ブラケット６２の下側に取り付けたバキューム吸着部（吸盤部）など保持押圧部材６３により構成される。
【００２５】
次に、上記本発明装置による当紙供給における動作順序を、図１及び図３〜図８に従って以下に詳細に説明する。
【００２６】
まず、図１に示すように、該表示紙給紙部１０のバキューム吸着部１４は、表示紙集積部２の最下層にある表示紙Ｐ1 の下面端部を上向きにて吸着保持した後に、下向きに１８０°揺動回転して、その表示紙Ｐ1 を集積部２の最下層より引き出して反転させる。
【００２７】
前記バキューム吸着部１４の１８０°揺動回転途中では、その表示紙Ｐ1 の紙面に対して外側から、接合材供給部２０のエアシリンダ２１が動作して糊剤供給用のスタンプ２２が当接して糊剤が供給される。
【００２８】
続いて、同図１に示すように、表示紙給紙部１０のバキューム吸着部１４は表示紙Ｐ1 を保持した状態で、図面左方向に水平移動して、前記当紙集積部３に集積されている結束用当紙Ｐ2 上方（真上側）までその表示紙Ｐ1 を搬送する。なお、３５は表示紙Ｐ1 の前端部を当接させるために必要に応じて設けた前当部である。
【００２９】
そして、表示紙保持押圧部３０のバキューム吸着部３４はバキューム吸着部１４にて保持され結束用当紙Ｐ2 上方まで搬送された表示紙Ｐ1 を吸着保持する。
【００３０】
続いて、図３（イ）に示すように、表示紙Ｐ1 をいままで保持していたバキューム吸着部１４は、エア吸引を解除して表示紙Ｐ1 を開放し、図面右方向に元の位置まで移動復帰するとともに、垂直上向きに１８０°回転して、集積部２の最下層にある次の表示紙Ｐ1 の端部下面を吸着保持する態勢を取る。
他方、同時に表示紙保持押圧部３０は、表示紙Ｐ1 を保持した状態で当紙Ｐ2 の上面に下降押圧動作して、表示紙Ｐ1 を当紙Ｐ2 上面に貼着（接合）する。
【００３１】
その間、同図３（イ）に示すように、当紙給紙部５０のバキューム吸着部５４は、水平エアシリンダ５２によって当紙集積部３に集積されている当紙Ｐ2 の端部上方に水平移動していて、続いて垂直エアシリンダ５３によって垂直下降して集積部３の最上層にある当紙Ｐ2 上面に当接して吸着する。
【００３２】
続いて、図３（ロ）に示すように、表示紙保持押圧部３０の吸着部３４は、吸引を解除して当紙Ｐ2 上面に貼着された表示紙Ｐ1 を開放するとともに上昇離脱して元の上方位置に復帰する。その間に、当紙給紙部５０のバキューム吸着部５４は、水平方向に移動して集積部３の最上層にある当紙Ｐ2 を集積部３より外方に引き出すとともに下降移動して、保持プレート４０の突出方向先端保持部４２に受け渡す。前記保持部４２は、保持プレート４０の突出方向先端部上面にバキュームエア吸着孔（図示せず）を備えたものでもよいし、図示するような開閉動作するグリッパ４３（咥爪部）であってもよい。
他方、右方向に復帰した表示紙給紙部１０のバキューム吸着部１４は、表示紙Ｐ1 の下面端部を上向きに吸着保持した後に、下向きに１８０°揺動回転して、その表示紙Ｐ1 を集積部２の最下層より引き出して反転させる。
【００３３】
前記バキューム吸着部１４の１８０°揺動回転途中では、その表示紙Ｐ1 の紙面に対して外側から、接合材供給部２０のエアシリンダ２１が動作して糊剤供給用のスタンプ２２が当接して糊剤が供給される。
【００３４】
続いて、図３（ハ）に示すように、保持プレート４０の突出方向先端部の保持部４２が動作して、その先端部上面にあるバキュームエア吸着孔（図示せず）がエア吸着を開始し、又は図示するような開閉動作するグリッパ４３（咥爪部）が閉鎖して、表示紙Ｐ1 が貼着された当紙Ｐ2 の前端部を保持プレート４０先端部に保持する。他方、表示紙給紙部１０のバキューム吸着部１４は、表示紙Ｐ1 を保持した状態で図面左方向に水平移動して、前記当紙集積部３に集積されている結束用当紙Ｐ2 上方（真上側）までその表示紙Ｐ1 を水平搬送した後、表示紙保持押圧部３０の吸着部３４にてその表示紙Ｐ1 を水平方向に保持する。
【００３５】
なお、上記図３（ロ）〜（ハ）の間に、当紙保持押圧部６０は下降と上昇復帰の１ストローク動作を行い、該当紙保持押圧部６０の保持押圧部材６３が結束用当紙Ｐ2 を保持している場合には、その１ストローク動作によって結束用当紙Ｐ2 を、その当紙保持押圧部６０の下方に位置する被結束物７０上に被覆動作するものである。
【００３６】
続いて、図４（イ）に示すように、当紙給紙部５０のバキューム吸着部５４は吸着を解除して上昇動作し、当紙Ｐ2 の前端部から離脱する。
他方、表示紙Ｐ1 をいままで保持していたバキューム吸着部１４は、エア吸引を解除して表示紙Ｐ1 を開放し、図面右方向に元の位置まで移動復帰するとともに、垂直上向きに１８０°回転して、集積部２の最下層にある次の表示紙Ｐ1 の端部下面を吸着保持する態勢を取る。
【００３７】
続いて、図４（ロ）に示すように、当紙給紙部５０のバキューム吸着部５４は右方向に水平移動して当紙Ｐ2 の端部上方に復帰する。
【００３８】
続いて、図４（ハ）に示すように、保持プレート４０は、先端保持部４２にて結束用当紙Ｐ2 前端部を保持しながら水平方向に当紙保持押圧部６０の下方まで突出移動して、表示紙Ｐ1 を貼着した結束用当紙Ｐ2 を当紙集積部３から引き出しながら保持プレート４０上に載置する。
【００３９】
続いて、図５（イ）に示すように、水平突出移動した保持プレート４０の上方にある当紙保持押圧部６０が下降動作して、その保持押圧部材６３が、保持プレート４０上の表示紙Ｐ1 を貼着した結束用当紙Ｐ2 をその上面にて吸着保持し、保持プレート４０の保持部４２はエア吸着部のエア吸引を停止するか若しくはグリッパ４３を開放動作して、結束用当紙Ｐ2 前端部を開放する。
【００４０】
続いて、図５（ロ）に示すように、当紙保持押圧部６０は結束用当紙Ｐ2 を保持した状態で上昇動作して保持プレート４０上より持ち上げ、保持プレート４０は集積部３下側の元の位置に復帰する。
他方、同時に表示紙保持押圧部３０は保持部３４によって表示紙Ｐ1 を吸着保持した状態で当紙Ｐ2 の上面に下降押圧動作し、図６に示すように表示紙Ｐ1 を当紙Ｐ2 上面に貼着（接合）する。
【００４１】
その間、同図６に示すように、当紙給紙部５０のバキューム吸着部５４は、水平エアシリンダ５２によって当紙集積部３に集積されている当紙Ｐ2 の端部上方に水平移動していて、続いて垂直エアシリンダ５３によって垂直下降して集積部３の最上層にある当紙Ｐ2 上面に当接して吸着する。
【００４２】
続いて、図７に示すように、表示紙保持押圧部３０の吸着部３４は、吸引を解除して当紙Ｐ2 上面に貼着された表示紙Ｐ1 を開放するとともに上昇離脱して元の上方位置に復帰する。その間に、当紙給紙部５０のバキューム吸着部５４は、水平方向に移動して集積部３の最上層にある当紙Ｐ2 を集積部３より外方に引き出すとともに下降移動して、保持プレート４０の突出方向先端保持部４２に受け渡す。
他方、右方向に復帰している表示紙給紙部１０のバキューム吸着部１４は表示紙Ｐ1 の下面端部を上向きに吸着保持した後に、下向きに１８０°揺動回転してその表示紙Ｐ1 を集積部２の最下層より引き出して反転させる。前記バキューム吸着部１４の下向き方向への１８０°揺動回転途中では、引き出された表示紙Ｐ1 の紙面に対して外側から接合材供給部２０のエアシリンダ２１が動作して糊剤供給用のスタンプ２２が当接して糊剤が供給される。
そして、当紙保持押圧部６０の保持押圧部材６３は、結束用当紙Ｐ2 を吸着保持した状態で、下方にある下部当紙Ｐ3 上に載置された被結束物７０上に下降動作する。
【００４３】
続いて、図８に示すように、当紙保持押圧部６０の保持押圧部材６３は表示紙Ｐ1 を貼着した結束用当紙Ｐ2 の吸着を解除して元の上方位置に上昇復帰することにより、被結束物７０上には表示紙Ｐ1 を貼着した結束用当紙Ｐ2 が被覆される。そして、バンドラー（図示せず）により、前記結束用当紙Ｐ2 と下部当紙Ｐ3 の上から被結束物７０の周囲に結束紐８０を巻回して、一の字掛け、二の字掛け、十字掛けなどの方式により紐掛け結束する。
【００４４】
他方、保持プレート４０の突出方向先端部の保持部４２が動作して、その先端部上面にあるバキュームエア吸着孔（図示せず）がエア吸着を開始し、又は図示するような開閉動作するグリッパ４３（咥爪部）が閉鎖して、表示紙Ｐ1 が貼着された当紙Ｐ2 の前端部を保持プレート４０先端部に保持する。他方、表示紙給紙部１０のバキューム吸着部１４は、表示紙Ｐ1 を保持した状態で図面左方向に水平移動して、前記当紙集積部３に集積されている結束用当紙Ｐ2 上方（真上側）までその表示紙Ｐ1 を水平搬送した後、表示紙保持押圧部３０の吸着部３４にてその表示紙Ｐ1 を水平方向に保持する。
【００４５】
続いて、図４（イ）に示す動作に戻り、このようにして図４〜図８までの動作を繰り返すことによって表示紙Ｐ1 が添付された結束用当紙Ｐ2 を被結束物７０の上面に供給して、紐掛け結束するものである。
【００４６】
【発明の効果】
本発明の結束用当紙挿入装置は、折丁やカタログなど各種印刷物や通帳、雑誌など各種製本類、あるいはその他の被結束物品を紐掛け結束する作業において使用されるバンドラー（紐掛け結束機）又はスタッカーバンドラー（物品集積機及び紐掛け結束機）に併設付加するためのコンパクトな結束用当紙挿入装置であって、表示紙を１８０°反転させて結束用当紙に添付した後、その当紙を被結束物品に供給被覆して結束紐によって結束することができ、バンドラー又はスタッカーバンドラーの限られた装置スペースの範囲内にコンパクトに納まるように併設することができ、被結束物品の発注者名や発送先の宛名あるいは数量（部数）や物品ロットナンバーなどを表示した札紙又は伝票類など表示紙と当紙の被結束物品への自動的な被覆供給を実施できる効果がある。
【図面の簡単な説明】
【図１】本発明結束用当紙挿入装置の側面図。
【図２】（イ）は本発明結束用当紙挿入装置の正面図、（ロ）はその上面図。
【図３】（イ）〜（ハ）は本発明結束用当紙挿入装置の動作順序を説明する側面図。
【図４】（イ）〜（ハ）は本発明結束用当紙挿入装置の動作順序を説明する側面図。
【図５】（イ）〜（ハ）は本発明結束用当紙挿入装置の動作順序を説明する側面図。
【図６】本発明結束用当紙挿入装置の動作順序を説明する側面図。
【図７】本発明結束用当紙挿入装置の動作順序を説明する側面図。
【図８】本発明結束用当紙挿入装置の動作順序を説明する側面図。
【符号の説明】
Ｐ1 …表示紙  Ｐ2 …結束用当紙  Ｐ3 …結束用下部当紙
１…支持フレーム  ２…表示紙集積部  ３…結束用当紙集積部  ４…切欠部
１０…表示紙給紙部  １４…表示紙吸着部
２０…接合材供給部  ２２…接合材供給ヘッド
３０…表示紙保持押圧部  ３４…表示紙吸着部
４０…結束用当紙保持プレート  ４２…結束用当紙保持部  ４３…咥部
５０…結束用当紙給紙部  ５４…結束用当紙吸着部
６０…当紙保持押圧部  ６３…結束用当紙吸着部
７０…被結束物
８０…結束紐
【図１】
0003705328.tif 000002
【図２】
0003705328.tif 000003
【図３】
0003705328.tif 000004
【図４】
0003705328.tif 000005
【図５】
0003705328.tif 000006
【図６】
0003705328.tif 000007
【図７】
0003705328.tif 000008
【図８】
0003705328.tif 000009